(57)【特許請求の範囲】
【請求項１】
一方の屋根面に配設した太陽電池屋根と他方の屋根面に配設した通常屋根との棟部分に、断面略山形の棟包を配設した太陽電池屋根の棟構造であって、
前記棟包は、前記太陽電池屋根の棟側に配設した横材と、前記通常屋根の棟側の笠上げ下地材上に固定した棟包支持材との間に掛け渡され、
前記棟包の前記横材側の端部は、前記横材の上端接合部の上側に重なる水切り部と、水切り部の基部下側に形成され前記上端接合部の端部に回動可能に係止される係止部とを有し、
前記棟包の前記棟包支持材側の端部は、前記棟包支持材を覆うように下方に屈曲形成した水切り片部を有していることを特徴とする太陽電池屋根の棟構造。
【請求項２】
前記横材の上端接合部と前記棟包の水切り部との間には、シール部材が介設されていることを特徴とする請求項１に記載の太陽電池屋根の棟構造。
【請求項３】
前記笠上げ下地材の上面には水返し板が貼着されており、
前記水返し板と前記棟包の水切り片部とは、間隙を存して上下にオーバーラップしていることを特徴とする請求項１または２に記載の太陽電池屋根の棟構造。
【請求項４】
前記棟包支持材は、方形断面を有する中空の形材で構成されており、
前記棟包支持材には、前記太陽電池屋根の内側空間と前記通常屋根の外側空間とを連通する換気孔が形成されていることを特徴とする請求項１、２または３に記載の太陽電池屋根の棟構造。
【請求項５】
前記太陽電池屋根側の屋根面を構成する屋根本体には、前記太陽電池屋根の内側空間と屋根本体の屋根裏空間とを連通する貫通開口が形成されていることを特徴とする請求項１ないし４のいずれかに記載の太陽電池屋根の棟構造。
【発明の詳細な説明】
【０００１】
【発明の属する技術分野】
本発明は、太陽電池屋根と通常屋根とが交わる棟部分における太陽電池屋根の棟構造に関する。
【０００２】
【従来の技術】
従来の太陽電池屋根の棟構造として、例えば特開平７−２０２２４２号公報に記載のものが知られている。この棟構造では、太陽電池屋根の棟側端に水返し用の立上げ片を設ける一方、山形に形成した棟包の太陽電池屋根側の端部を水切り用に下側に折曲げ、この折曲げ部分と立上げ片とが上下にオーバーラップするように、棟包を設置している。この場合、棟包は、鋼板をいわゆる板金の技術で適宜折曲げて形成されている。
【０００３】
【発明が解決しようとする課題】
このような従来の太陽電池屋根の棟構造では、現場合わせで板金加工を行うため、施工に時間がかかると共に、熟練を必要とする問題があった。また、熟練の程度にもよるが、棟部のシール性を保持するために棟構造が複雑になる問題があった。もっとも、棟包を工場生産品とすることも可能であるが、屋根は屋根葺き材などによりその屋根勾配が区々であるため、太陽電池屋根と棟包の傾斜角度を合わせ難く、その接合部分が良好に納まらなくなることが、想定される。
【０００４】
本発明は、水密性を損なうことなく、棟包を簡単に施工することができ、且つ棟包に汎用性を持たせることができる太陽電池屋根の棟構造を提供することを目的とする。
【０００５】
【課題を解決するための手段】
本発明の太陽電池屋根の棟構造は、一方の屋根面に配設した太陽電池屋根と他方の屋根面に配設した通常屋根との棟部分に、断面略山形の棟包を配設した太陽電池屋根の棟構造であって、棟包は、太陽電池屋根の棟側に配設した横材と、通常屋根の棟側の笠上げ下地材上に固定した棟包支持材との間に掛け渡され、棟包の横材側の端部は、横材の上端接合部の上側に重なる水切り部と、水切り部の基部下側に形成され上端接合部の端部に回動可能に係止される係止部とを有し、棟包の棟包支持材側の端部は、棟包支持材を覆うように下方に屈曲形成した水切り片部を有していることを特徴とする。
【０００６】
この構成によれば、棟包の横材側の端部に横材の上端接合部の上側に重なる水切り部を設けることにより、太陽電池屋根と棟包との間を良好に雨仕舞いすることができ、棟包の棟包支持材側の端部に下方に屈曲形成した水切り片部を設けることにより、通常屋根と棟包との間を良好に雨仕舞いすることができる。また、棟包の横材側の端部において、水切り部の基部下側に、横材の上端接合部の端部に回動可能に係止される係止部を設けることにより、太陽電池屋根の傾斜角度と棟包の傾斜角度が異なっていても、太陽電池屋根の棟側端部に棟包を適切に係止することができる。
【０００７】
この場合、横材の上端接合部と棟包の水切り部との間には、シール部材が介設されていることが、好ましい。
【０００８】
この構成によれば、太陽電池屋根と棟包との間を良好にシールすることができる。
【０００９】
これらの場合、笠上げ下地材の上面には水返し板が貼着されており、水返し板と棟包の水切り片部とは、間隙を存して上下にオーバーラップしていることが、好ましい。
【００１０】
この構成によれば、棟部内部の通気性を損なうことなく、通常屋根と棟包との間を良好に雨仕舞いすることができる。
【００１１】
これらの場合、棟包支持材は、方形断面を有する中空の形材で構成されており、棟包支持材には、太陽電池屋根の内側空間と通常屋根の外側空間とを連通する換気孔が形成されていることが、好ましい。
【００１２】
この構成によれば、通気のために棟包支持材を棟の延在方向に不連続に設置する必要がなく、棟包支持材として長尺のものを用いることができ、棟包を強固に支持することができる。
【００１３】
これらの場合、太陽電池屋根側の屋根面を構成する屋根本体には、太陽電池屋根の内側空間と屋根本体の屋根裏空間とを連通する貫通開口が形成されていることが、好ましい。
【００１４】
この構成によれば、貫通開口を介して、屋根裏空間、棟包の下側空間および外部とが連通するため、屋根本体の屋根裏空間を良好に換気することができる。また、貫通開口を利用して、太陽電池モジュールのケーブルを建物内に無理なく導くことができる。
【００１５】
【発明の実施の形態】
以下、添付の図面を参照して、本発明の一実施形態に係る棟構造を適用した太陽電池屋根について説明する。図１は太陽電池パネルを屋根葺き材として使用した切妻屋根の斜視図である。この太陽電池屋根１Ａは、屋根１の南面（南東面）側の全域の構成する場合と、その一部に構成する場合とがあり、同図（ａ）は全域に構成した場合を、同図（ｂ）は一部に構成した場合を示している。同図（ａ）では、南面（南東面）側が太陽電池屋根１Ａで構成され、北面（北西面）側がスレート瓦などの屋根葺き材ｂを用いた通常屋根１Ｂで構成されている。また、同図（ｂ）では、南面（南東面）側が太陽電池屋根１Ａと通常屋根１Ｂの複合屋根で構成され、北面（北西面）側が通常屋根１Ｂで構成されている。そして、これら太陽電池屋根１Ａは、垂木２ａ、野地板２ｂ、およびアスファルトルーフィングなどの葺き下地２ｃなどから成る屋根本体２の上に設置されている。（図３および図４参照）。なお、防火上必要な場合には、葺き下地２ｃ上にステンレス板などを敷設することが、好ましい。
【００１６】
太陽電池屋根１Ａは、屋根本体２の上面に格子状に配設したアルミニウム合金等の押出形材で形成して成る複数本の縦材３および横材４と、これら複数本の縦材３および横材４で区画された枠状空間に水密に装着した太陽電池モジュール５とを備えており、各縦材３の部分で複数個の取付金具（図３および図４参照）６を介して、屋根本体２に取り付けられている。また、同図（ａ）の太陽電池屋根１Ａでは、棟側に設けた棟包１１、軒側に設けた軒包１２および両けらば側に設けた一対のけらば包１３，１３により、その四辺が雨仕舞いされている。同様に、同図（ｂ）の太陽電池屋根１Ａでは、棟側に設けた棟包１１、軒側に設けた軒先水切り１４および両けらば側に設けた一対のけらば水切り１５，１５により、その四辺が雨仕舞いされている。なお、棟包１１、軒包１２およびけらば包１３も、アルミニウム合金等の押出形材で構成することが、好ましい。
【００１７】
図２に示すように、太陽電池モジュール５は、強化ガラスから成る方形のガラス基板２１と、ガラス基板２１に裏側からマトリクス状に敷設した多数の太陽電池セル２２と、太陽電池セル２２を保護するバックカバー２３などで構成されている。すなわち、本実施形態の太陽電池モジュール６は、四周に枠材の無い平板状の構造になっている。太陽電池セル２２は、インターコネクタ（図示省略）でそれぞれ接続され、その出力端子は裏面側に突設した端子ボックス２４を介してプラスおよびマイナスの一対のケーブル２５，２５に接続されている。また、各ケーブル２５の先端にはコネクタ２６が接続され、このコネクタ２６により全太陽電池モジュール５が直列に接続されている。
【００１８】
図３および図４に示すように、取付金具６は短尺に形成され、縦材３と横材４の各交差部分に配設されている。取付金具６は、断面「Ｕ」字状の金具本体３１と、金具本体３１の上端に連なる左右の段部３２，３２と、各段部３２に連なる左右一対のフランジ部３３，３３とで一体に形成されている。そして、取付金具６は、金具本体３１の内側から金具本体３１、葺き下地２ｃおよび野地板２ｂを貫通して垂木２ａにねじ込んだ２本のコーチねじ３４，３４により、屋根本体２に固定されている。また、取付金具６の両段部３２，３２間には、これらに跨るように縦材３が着座し、且つその各フランジ部３３には、横材４の外端部がねじ止めされている。
【００１９】
縦材３は、取付金具６に着座する縦材本体４１と、縦材本体４１の上端にねじ止めした縦押え部材４２と、縦押え部材４２の上面に装着したキャップ４３とで構成されている。縦材本体４１は、上部開口４５ａを有する中空部４５と、中空部４５の下端から両側方に延びる左右一対の着座部４６，４６と、上部開口４５ａを挟んで中空部４５の上端に形成した左右一対の縦モジュール受け部４７，４７とで一体に形成されている。
【００２０】
各着座部４６には、上記取付金具６の段部３２の形状に合致させるべく立上げ片４８が形成され、またこの立上げ片４８により中空部４５との間に、横材４からの排水を受ける樋部４９が形成されている。すなわち、取付金具６にねじ止めされた横材４の小口端は樋部４９の直上に臨んでおり、後述する横材４からの排水は、この樋部４９で受けられた後、樋部４９を流下して軒側に排水される。またこの状態で、横材４の小口端は、立上げ片４８を上側から抜止め状態となるように押さえている。
【００２１】
実施形態の縦材３は、その両着座部４６，４６で取付金具６の両段部３２，３２に単純に嵌合しており、長手方向において取付金具６から拘束を受けないようになっている。すなわち、縦材３は、取付金具６により左右の移動が規制され、且つ取付金具６および横材４により上下の移動が規制されているが、長手方向の移動は許容されており、縦材３と取付金具６とは非固定構造となっている。これにより、外部環境（熱）による縦材３の熱膨張および熱収縮に対し、応力集中が発生するのを防止している。また、縦材３を固定するねじなどが不用となるため、縦材３を簡単に組み込むことができると共に、ねじ部分からの漏水が一切無い構造とすることができる。なお、縦材３は、ずれないようにその棟側の端部で、小ねじ５０により取付金具６に掛け止めされている（図５参照）。
【００２２】
各縦モジュール受け部４７には、先付け形式の下シール部材５１が上向きに装着されており、この下シール部材５１の上に太陽電池モジュール５の周縁部が載置されている。また、縦モジュール受け部４７には、下シール部材５１に隣接して、太陽電池モジュール５の端面位置の目安となるけがき溝（目安線）５２が形成されており、このけがき溝５２に位置合わせして、太陽電池モジュール５が設置される。そして、この状態では、太陽電池モジュール５の端面と後述する呑込み溝５６の溝底との間には一定の間隙が生じ、太陽電池モジュール５の熱膨張などを吸収できるようになっている。
【００２３】
縦押え部材４２は、断面「Ｕ」字状の収容溝部５４と、収容溝部５４の上端から両側方に延びる左右一対の縦モジュール押え部５５，５５とで、一体に形成されている。縦モジュール押え部５５は、縦材本体４１の縦モジュール受け部４７に対峙しており、縦モジュール受け部４７との間に、太陽電池モジュール５を装着するための呑込み溝（モジュール装着部）５６を構成している。縦モジュール押え部５５の下面には、縦モジュール受け部４７の下シール部材５１に対向して、先付け形式の上シール部材５７が装着されており、太陽電池モジュール５の周縁部は、その表裏に上下両シール部材５１，５７を介在させた状態で、呑込み溝５６に水密に装着されている。
【００２４】
収容溝部５４は、両縦モジュール押え部５５，５５を連結する部分であると共に、縦押え部材４２を縦材本体４１に締結する固定ねじ５８を収容する部分であり、且つ縦材本体４１の上部開口４５ａを閉塞する蓋体も兼ねている。縦押え部材４２は、固定ねじ５８が収容溝部５４を貫通して縦材本体４１の中空部４５内に収容した裏板５９に螺合することで、縦材本体４１に固定されている。そして、固定ねじ５８の頭部は、収容溝部５４の上端に装着したキャップ４３により、収容溝部５４内に隠ぺいされる。なお、キャップ５４は、収容溝部５４の上端にスナップイン形式で装着されており、収容溝部５４に装着された状態で、その上面が両縦モジュール押え部５５，５５の上面と面一となる。
【００２５】
なお、シール切れなどで上記の呑込み溝５６に雨水が浸入しても、この雨水は上部開口４５ａと収容溝部５４との隙間から中空部４５内に流下し、中空部４５から軒側に排水される。同様に、キャップ５４の隙間から収容溝部５４に雨水が浸入しても、この雨水は固定ねじ５８の隙間から中空部４５内に流下し、中空部４５から軒側に排水される。したがって、シール切れなどが生じても、屋根本体２の上面に雨水が漏れることがない。
【００２６】
一方、縦材本体４１の中空部４５の内部には、上述した太陽電池モジュール５のケーブル２５が配線されている。中空部４５の側面には、太陽電池モジュール５に対応して丸孔６０が形成され（図４参照）、この丸孔６０を介して、ケーブル２５が中空部４５の内部に導かれている。したがって、太陽電池モジュール５を組み込むときには、縦押え部材４２を取り付ける前、すなわち縦モジュール受け部４７に太陽電池モジュール５を載置した段階で、丸孔６０を介してケーブル２５を中空部４５内に導くと共に、いったん中空部４５の上部開口４５ａからこれを引き出して、隣接する太陽電池モジュール５のケーブル２５とコネクタ接続する。また、メンテナンス等においては、縦押え部材４２を外してケーブル３５を中空部４５から引き出すようにする。なお、個々に直列に接続されたケーブル２５は、棟側でさらに縦の並び単位で直列に接続され、最終的に纏められた２本のケーブル２５，２５は、棟部分から建物の屋内に導かれる。
【００２７】
一方、横材４は、取付金具６にねじ止めした横材本体７１と、横材本体７１の上端にねじ止めした横押え部材７２とで構成されている。横材本体７１は、上部に凸状部位７４ａを形成した中空部７４と、中空部７４の下端から両側方に延びる左右一対の固定部７５，７５と、上記の凸状部位７４ａを挟んで傾斜の上流側に形成された呑込み溝部７６および下流側に形成された横モジュール受け部７７とで、一体に形成されている。そして、呑込み溝部７６の内側に、屋根勾配に沿って斜め上向きに開口した呑込み溝７８が構成され、横押え部材７２と横モジュール受け部７７との間に、屋根勾配に沿って斜め下向きに開口した呑込み溝７８が構成されている。
【００２８】
各固定部７５は板状に形成され、それぞれ取付金具６にねじ止めされている。また、中空部７４を挟んで傾斜の上流側に位置する固定部７５には立上げ片７９が形成され、この立上げ片７９により中空部７４との間には、太陽電池モジュール５の結露水を受ける集水溝部８０が形成されている。すなわち、内外の温度差等により太陽電池モジュール５の裏面側が結露すると、その結露水が太陽電池モジュール５の裏面を伝わって中空部７４から集水溝部８０に流下する。集水溝部８０に流下した結露水は、両側に流れてその小口端から縦材３の樋部４９に受けられる。なお、両呑込み溝７８，７８と中空部７４とは、それぞれ水抜き孔８１，８１を介して連通しており、シール切れなどにより呑込み溝７８に雨水が浸入しても、雨水は呑込み溝７８から中空部７４内に流下し、その小口端から縦材３に導かれる。
【００２９】
呑込み溝部７６の内側には、受け側を構成する先付け形式の下シール部材８２と、押え側を構成する後付け形式のガスケット（シール部材）８３が装着されている。また、呑込み溝７８の溝底には、太陽電池モジュール５を受けるスペーサブロック８４が配設されている。そして、太陽電池モジュール５の周縁部は、その表裏に下シール部材８２およびガスケット８３を介在させた状態で、この呑込み溝７８に水密に装着されている。ガスケット８３はいわゆるＪ字ガスケットであり、外部に露出する頭部（傾斜部）８３ａは、傾斜している太陽電池モジュール５の表面および呑込み溝部７６の上面を、緩傾斜で連続させる形状に形成されている。これにより、太陽電池モジュール５の表面を流れて来る雨水を、呑込み溝部７６の上面に円滑に導くことができ、太陽電池モジュール５と呑込み溝部７６との段差部分に雨水やゴミなどが溜まるのを防止している。
【００３０】
横モジュール受け部７７には、上記の縦モジュール受け部４７と同様に、先付け形式の下シール部材８５が上向きに装着されており、この下シール部材８５の上に太陽電池モジュール５の周縁部が載置されている。この場合、呑込み溝７８の溝底は、横モジュール受け部７７に連なる上記中空部７４の凸状部位７４ａの側面で構成されている。
【００３１】
横押え部材７２は、横モジュール受け部７７に対向する横モジュール押え部８７と、横モジュール押え部８７に連なる取付部８８とで一体に形成され、取付部８８で皿ねじ８９により、中空部７４の凸状部位７４ａの上面にねじ止めされている。横押え部材７２が凸状部位７４ａにねじ止めされた状態では、横押え部材７２の上面と呑込み溝部７６の上面とが面一となり、且つ皿ねじ８９と相まって、横材４の上面が平坦に仕上げられている。横モジュール押え部８７には、上記の縦モジュール押え部５５と同様に、先付け形式の上シール部材９０が装着されており、太陽電池モジュール５の周縁部は、その表裏に上下両シール部材８５，９０を介在させた状態で、呑込み溝７８に水密に装着されている。
【００３２】
ここで、太陽電池屋根１Ａの主要部の組立手順を簡単に説明する。先ず、屋根本体２の縦材３と横材４とが交差部分に、取付金具６を固定する。次に、この取付金具６に縦材３を装着すると共に、縦材３を押さえるように横材４を取付金具６を固定する。次に、太陽電池モジュール５を、横材４の呑込み溝部７６に深く差し込みながら、これを縦・横モジュール受け部４７，７７に載置すると共に、けがき溝５２を目安に左右の位置を調整する。太陽電池モジュール５を設置したら、ケーブル２５を接続した後、縦押え部材４２および横押え部材７２を取り付ける。そして最後に、ガスケット８３を装着すると共にキャップ４３を装着する。
【００３３】
このような構成では、太陽電池モジュール５を水密に且つ強固に取り付けることができると共に、簡単に取り付けることができる。また、ケーブル２５の接続を含め、太陽電池モジュール５の交換などを簡単に行うことができる。さらに、枠無しの太陽電池モジュール５を用いているため、そのダミーモジュールを含め、コストを低減することができる。同時に、太陽電池モジュール５のシール構造および取付構造を単純化することができるため、施工性を向上させることができる。
【００３４】
一方、縦材３を取付金具６に対し非固定構造としているため、縦材３の熱膨張および熱収縮による影響を回避することができる。加えて、横材４を取付金具６に固定しているため、太陽電池モジュール（シール部材）５を介して縦材３の大きな位置ずれを防止することができると共に、太陽電池モジュール５を安定かつ強固に支持することができる。また、シール切れなどで漏水が生じても、横材４および縦材３を利用して、これを外部に円滑に排水することができる。
【００３５】
次に、図５を参照して、棟部分の雨仕舞い構造について説明する。上述したように屋根１の一方の面には太陽電池屋根１Ａが構成され、他方の面には通常屋根１Ｂが構成されており、棟部分には、太陽電池屋根１Ａと通常屋根１Ｂとに掛け渡すように棟包１１が配設されている。この場合、棟包１１の太陽電池屋根１Ａ側は、太陽電池屋根１Ａの横材４に係止され、通常屋根１Ｂ側は、通常屋根１Ｂの笠上げ下地１０２上に設けた棟包支持材１０１に固定されている。
【００３６】
棟包１１は、形材などで断面略山形に形成されている。棟包１１の横材４側の端部には、横材４の呑込み溝部７６とオーバーラップする水切り部１０４と、水切り部１０４の基部下側に突出した係止部１０５とが形成されている。水切り部１０４の下面と呑込み溝部７６の上面との間には、ゴムなどで構成されたシール部材１０６が介設され、この部分のシールを良好なものとしている。係止部１０５は断面略半円状に形成され、呑込み溝部７６の上片７６ａに回動可能に係止されている。これにより、太陽電池屋根１Ａの傾斜角度と棟包１１の傾斜角度が、幾分異なる場合であっても、棟包１１を太陽電池屋根１Ａに適切かつ水密に取り付けることができる。このことはまた、傾斜角度の異なる太陽電池屋根（屋根本体２）１Ａに対し、棟包１１の汎用的な部材とすることができる。一方、棟包１１の棟包支持材１０１側の端部には、棟包支持材１０１を越えた位置で下側に折曲げた水切り片部１０７が形成され、水切り片部１０７の下端は、笠上げ下地１０２の位置まで延びている。
【００３７】
笠上げ下地１０２は、角材を２段積みした下地ベース１０８と、下地ベース１０８の表面に貼着したステンレス板などから成る水返し板１０９とで構成されており、屋根葺き材ｂを挟み込んで垂木２ａに釘打ちされている。そして、この水返し板１０９と上記の水切り片部１０７とは、通気間隙を存して上下にオーバーラップし、棟部分の内部に対し、通気性を保持しつつ雨水の浸入を防止している。
【００３８】
棟包支持材１０１は、方形中空の断面を有する形材などで構成されており、笠上げ下地１０２の上面にねじ止めされている。棟包支持材１０１の両側板には、それぞれ複数の内換気孔１１０ａおよび外換気孔１１０ｂが形成され、太陽電池屋根１Ａの内側空間を換気できるようになっている。これにより、太陽電池モジュール５の温度上昇が抑制される。棟側となる内側の側板に形成された内換気孔１１０ａは側板の上部に形成され、外側の側板に形成された外換気孔１１０ｂは側板の下部に形成されており、雨水が外換気孔１１０ｂから浸入することがあっても、これを自然流下させることができる。なお、棟部分おいて、屋根本体２の野地板（葺き下地２ｃ）２ｂには、垂木２ａを逃げた位置に適宜、貫通開口２ｄが形成され、上記の内外両換気孔１１０ａ，１１０ｂを介して、屋根裏空間の換気も可能となっている。また、上記の太陽電池モジュール５のケーブル２５は、この貫通開口２ｄを介して屋内に導かれる。
【００３９】
次に、図６を参照して、図１（ａ）の太陽電池屋根１Ａの軒部分の雨仕舞い構造について説明する。太陽電池屋根１Ａの軒部分には、形材などで構成された軒包１２と軒包支持板１２１とが設けられている。軒包１２は、基部で上記の横押え部材７２と同様に横材４の凸状部位７４ａにねじ止めされ、２箇所で屈曲して、下向きの先端部で軒包支持板１２１にねじ止めされている。軒包支持板１２１は、野地板２ｂの軒側端に固定されたベース部１２２および垂設部１２３と、ベース部１２２の先端から上方に延びる支持部１２４とで一体に形成されており、支持部１２４の上半部が軒包１２の先端部と重なった状態で、軒包１２を支持している。また、ベース部１２２には、複数の排水孔１２５が形成されており、縦材３の小口端から流下した排水は、この排水孔１２５から外部に排水される。なお、複数の排水孔１２５は、虫や小動物の浸入を防止できるものとすることが、好ましい。
【００４０】
次に、図７を参照して、図１（ａ）の太陽電池屋根１Ａのけらば部分の雨仕舞い構造について説明する。太陽電池屋根１Ａのけらば部分には、形材などで構成されたけらば包１３とけらば包支持板１３１とけらば唐草１３２とが設けられている。けらば包１３は、基部を縦材４の呑込み溝５６に水密に係止され、中間で直角に折曲げられ、先端側をけらば包支持板１３１にねじ止めされている。けらば包支持板１３１は、基部を縦材３のフランジ部３３にねじ止めされ、先端部でけらば包１３を支持している。けらば唐草１３２は、基部で野地板２ｂに固定されており、その先端部には、けらば包１３と上下方向にオーバーラップする水返し部１３３を有している。そして、この部分でも、太陽電池屋根１Ａの下側空間の換気が行えるようになっている。
【００４１】
次に、図８を参照して、図１（ｂ）の太陽電池屋根１Ａの軒側端部の雨仕舞い構造について説明する。太陽電池屋根１Ａの軒側端部には、形材などで構成された軒先水切り１４と水切り支持板１４１とが設けられている。軒先水切り１４および水切り支持板１４１は、上記の軒包１２および軒包支持板１２１と同様の形態および取付構造を有しているが、軒包支持板１２１は、屋根葺き材ｂ上に固定した枕木１４２に固定されている。したがって、縦材３の小口端から流下した排水は、水切り支持板１４１の排水孔１４３から屋根葺き材ｂ上に流下する。
【００４２】
次に、図９を参照して、図１（ｂ）の太陽電池屋根１Ａのけらば側端部の雨仕舞い構造について説明する。太陽電池屋根１Ａのけらば側端部には、形材などで構成されたけらば水切り１５と水切り支持板１５１と防水鰭片１５２とが設けられている。けらば水切り１５および水切り支持板１５１は、上記のけらば包１３およびけらば包支持板１３１と同様の形態および取付構造を有している。防水鰭片１５２は、けらば水切り１５の先端部内側に装着されており、その下部が屋根葺き材ｂに水密に接触している。
【００４３】
【発明の効果】
以上のように本発明の太陽電池屋根の棟構造によれば、棟包を水切り部の基部下側に形成すると共に、横材の上端接合部に回動可能に係止しているので、水密性を損なうことなく且つ熟練を要することなく、棟包を簡単に施工することができる。また、太陽電池屋根の傾斜角度と棟包の傾斜角度が異なっていても、太陽電池屋根の棟側端部に棟包を適切に係止することができるので、棟包に汎用性を持たせることができる。
【図面の簡単な説明】
【図１】本発明の一実施形態に係る太陽電池屋根の棟構造を適用した屋根の斜視図である。
【図２】太陽電池モジュールの外観図である。
【図３】実施形態に係る太陽電池屋根の部分拡大横断面図である。
【図４】実施形態に係る太陽電池屋根の部分拡大縦断面図である。
【図５】太陽電池屋根の棟部分の部分拡大縦断面図である。
【図６】図１（ａ）に対応する太陽電池屋根の軒部分の部分拡大縦断面図である。
【図７】図１（ａ）に対応する太陽電池屋根のけらば部分の部分拡大横断面図である。
【図８】図１（ｂ）に対応する太陽電池屋根の軒側端部の部分拡大縦断面図である。
【図９】図１（ｂ）に対応する太陽電池屋根のけらば側端部の部分拡大横断面図である。
【符号の説明】
１  屋根、１Ａ  太陽電池屋根、１Ｂ  通常屋根、２  屋根本体、２ｄ  貫通開口、４  横材、５  太陽電池モジュール、１１  棟包、７６  呑込み溝部、７６ａ  上片、１０１  棟包支持材、１０２  笠上げ下地、１０４  水切り部、１０５  係止部、１０６  シール部材、１０７  水切り片部、１０８  下地ベース、１０９  水返し板  、１１０ａ  内換気孔、１１０ｂ  外換気孔
【図１】
0003628525.tif 000002
【図２】
0003628525.tif 000003
【図３】
0003628525.tif 000004
【図４】
0003628525.tif 000005
【図５】
0003628525.tif 000006
【図６】
0003628525.tif 000007
【図７】
0003628525.tif 000008
【図８】
0003628525.tif 000009
【図９】
0003628525.tif 000010